(57)【要約】【課題】  この考案は、金属類を使わず紙質類等のシート片に切り込みと折り曲げ線とを設けて複数枚の用紙の角を、折り込み手段によって綴じる用紙角部を綴じるシート片を提供するものである。【解決手段】  腰のあるシートによって、内側に４５度傾斜する両側辺を持つ台形を基盤部１として形成し、その上辺から折曲部２を介して上に延長する基盤部１の高さの少なくとも２倍となる高さの頭部３を接続してその延長する中ほどに折曲部２と平行状態の中間折曲部４を設け、基盤部１の両側辺からは傾斜折曲部５を介して上に延長する左腕部６と右腕部７とを接続することで頭部３と両腕部６，７とが接触する部分を切り離れた状態とした切込部８を設けた用紙角部を綴じるシート片。【選択図】          図１
0003127609.tif 000002
【実用新案登録請求の範囲】
【請求項１】
紙質類で腰のあるシートによって、内側に４５度傾斜する両側辺を持つ台形を基盤部として形成し、その上辺から折曲部を介して上方に延長する高さは少なくとも基盤部の高さの２倍となる高さに設けた頭部を接続し、その接続した頭部の中ほどに折曲部と平行状態の中間折曲部を設け、基盤部の両側辺からは傾斜折曲部を介して基盤部１の上に折り曲げて折り重なる長さとなる高さとした左腕部と右腕部とを接続することで、頭部と両腕部との接触する部分を切り離れた状態の切込部として設けたことによって用紙角部を綴じる本体を形成したことを特徴とする用紙角部を綴じるシート片。
【請求項２】
台形の基盤部の下辺を対象軸として、基盤部と基盤部より連接する各部とを基盤部の下辺より下側に対象状態として設けて用紙角部を綴じる本体を形成したことを特徴とする請求項１に記載の用紙角部を綴じるシート片。
【請求項３】
紙質類で腰のあるシートによって、内側に４５度傾斜する両側辺を持つ台形を基盤部として形成し、その基盤部の上に基盤部と同じ形状の掛止部を重ね合せてその両側辺を接続することによって筒形状を形成し、この基盤部の台形となる上辺から折曲部を介して上に延長する高さは少なくとも基盤部の高さの２倍となる高さに設けた頭部を接続し、その接続した頭部の中ほどに折曲部と平行状態の中間折曲部を設けて用紙角部を綴じる本体を形成したことを特徴とする用紙角部を綴じるシート片。
【請求項４】
基盤部と同じ形状の掛止部を重ね合せて筒形状を形成した台形の基盤部の下辺を対象軸として基盤部と頭部とを基盤部の下辺より折曲部を介して下側に対象状態として設けた用紙角部を綴じる本体を形成したことを特徴とする請求項３に記載の用紙角部を綴じるシート片。
【請求項５】
基盤部と同じ形状の掛止部の台形となる下辺から折曲部を介して基盤部と基盤部より連接する頭部とを下向きに設けた押止部を接続し、その接続した押止部の中ほどに折曲部と平行状態の中間折曲部を設けて用紙角部を綴じる本体を形成したことを特徴とする請求項３に記載の用紙角部を綴じるシート片。
【請求項６】
プラスチック類の可撓性を有するシートによって、用紙角部を綴じるシート片の本体を形成したことを特徴とする請求項１乃至請求項５に記載の用紙角部を綴じるシート片。
【考案の詳細な説明】
【技術分野】
【０００１】
この考案は、金属類を使わず紙質類等のシート片に切り込みと折り曲げ線とを設けて複数枚の用紙の角を、折り込み手段によって綴じる用紙角部を綴じるシート片に関するものである。
【背景技術】
【０００２】
従来、紙を素材とした三角袋状としたクリップ本体に、書類の角部を三角形状に折り曲げた部分が、クリップ本体の内側に設けてある切り欠き部のある掛け止め部によって抜け止める特許文献１があった。
【特許文献１】特開２００１−１８０１６６
【考案の開示】
【考案が解決しようとする課題】
【０００３】
従来の特許文献１に示す掛け止め部を設けた三角袋状としたクリップでは、書類の角部を三角形状に折り曲げた部分の掛け止まりが悪く、その三角形状に折り曲げる部分の大小によって掛け止まる良し悪しが起きるもので、折り曲げる加減が難しいものであった。
【０００４】
また、掛け止め部によって掛け止まった書類を下に引っ張るなどの弱い力によって抜け落ち易く、枚数が多く成ればなお更抜け落ち易くなる欠点があった。
【０００５】
本考案は、以上の課題を解決するために、シート片に切り込みと折り曲げ線とを設けた簡単な構造と安価な素材とによって形成し、その折り込み手段によって複数枚の用紙の角を綴じるクリップとした用紙角部を綴じるシート片を提供するものである。
【課題を解決するための手段】
【０００６】
本考案は紙質類で腰のあるシートによって、内側に４５度傾斜する側辺を持つ台形を基盤部１として形成し、その上辺から折曲部２を介して上に延長する高さは少なくとも基盤部１の高さの２倍となる高さに設けた正方形の頭部３を接続し、その延長する中ほどに折曲部２と平行状態の中間折曲部４を設けものとしていて、その頭部３の形状は正方形の他に台形や三角形等とすることも出来るものである。
【０００７】
そして、基盤部１の両側辺からは傾斜折曲部５を介して基盤部１の上に折り曲げて折り重なる長さとなる高さとした左腕部６と右腕部７を接続することで、その接続した両腕部６，７と頭部３との接触する部分を切り離れた状態とした切込部８を設けたものとして用紙角部を綴じるシート片の本体９を形成したものとしている。
【０００８】
この本体９を使用するときには、本体９を綴じようとする用紙角部１０の裏側に当てて基盤部１の両側辺と用紙角部１０とを重ね合わせ、両腕部６，７を用紙の表側に重ね合せる様にして折り曲げ、その後から頭部３を用紙の表側に用紙角部１０と一緒にして重ね合わさる両腕部６，７の上に折り曲げ、重なる両腕部６，７より先に出た頭部３を折り返して重なる両腕部６，７の下に差し込むことで本体９の折り込み手段が完了するもので、この用紙角部１０の裏側でなく表側から当てて折り込むことも出来るものであって、この折り込み手段によって用紙の角部を綴じるものとしている。
【０００９】
この他に考えられるものとしては、台形の基盤部１の下辺１３を対象軸として、基盤部１と基盤部１より連接する各部とを基盤部１の下辺１３より下側に対象状態として設けて上下を重ね合せに折り重ねた二重本体１４とするものが考えられるものであって、この上下に重ね合せた折り重ねとした二重本体１４の用紙側の頭部３は用紙角部１０と一緒に折り込む押止部１９としての働きをし、他方の頭部３は正方形の他に三角形など様々な形状とすることができるもので折り曲げた用紙角部１０の跡に残るものとなり、これらによって用紙を綴じるときには上記の本体９のものと変わりない折り込み手段によって用紙角部１０を綴じることが出来るものとしている。
【００１０】
その他に考えられるものとしては、紙質類で腰のあるシートによって、内側に４５度傾斜する両側辺を持つ台形を基盤部１として形成し、その基盤部１の上に基盤部１と同じ形状の掛止部１７を重ね合せてその両側辺を接続することによって筒形状を形成し、この基盤部１の台形となる上辺から折曲部２を介して上に延長する高さは少なくとも基盤部１の高さの２倍となる高さに設けた頭部３を接続し、その接続した頭部３の中ほどに折曲部２と平行状態の中間折曲部４を設けて用紙角部１０を綴じる本体９を形成することが考えられるもので、これを使用するときにはこの筒形状となった掛止部１７の下に綴じる用紙の用紙角部１０を差し込んで頭部３と用紙角部１０とを一緒に掛止部１７の上に折り返し、その頭部３の先端を掛止部１７の下に差し込むことで用紙の綴じ込みが出来るものとしていて左腕部６と右腕部７との折り曲げる手間が省けて作業性が良くるものである。
【００１１】
基盤部１と同じ形状の掛止部１７を重ね合せて筒形状を形成した台形の基盤部１の下辺１３を対象軸として基盤部１と頭部３とを基盤部１の下辺１３より折曲部２を介して下側に対象状態として設けた用紙角部を綴じる本体９を形成することも出来るもので、基盤部１の台形の下辺１３から基盤部１と頭部３とを下向きに接続して下向き二重本体１９を形成することができるもので、この下向き二重本体１９は上向きに折り返して筒状の中を通し、基盤部１と頭部３との上に重ねて使用するものが考えられるものである。
【００１２】
また、この掛止部１７の台形となる下辺から折曲部２を介して下辺を底辺とする二等辺直角三角形を接続して押止部１８を形成したものも考えられるもので、用紙角部１０を掛止部１７の中に差し込んで折り曲げが終った後に、押止部１８を曲げ起こすことによって用紙角部１０の折り曲げた角部分を上から押さえ、その押止部１８の先端を用紙の下側に差し込むことで用紙の綴じ込みが出来るものとしている。
【００１３】
綴じようとする用紙の枚数が多くなると、本体９を折込むときにそれぞれの各折曲部に用紙の厚さ分が必要となり、各折曲部には対応出来る幅が必要となるものであるから、そこに平行状態の折り曲げ線を複数設けた複線折曲部１５とすることは当然考えられるものである。
【００１４】
プラスチック類の可撓性を有するシートによって、紙質類による用紙角部を綴じるシート片の本体９と同じように形成することができるものであって、プラスチック類による本体９で綴じた紙とプラスチックとを分別するときには用紙角部１０を本体９が綴じている両腕部６，７と用紙との間に指先を入れてその隙間を広げるように１８０度の折り返し状態から９０度の折り曲げ状態にして外側に引っ張ると、本体９を紙から引き離すことが容易に出来るものである。
【００１５】
また、これらの本体９によって複数枚の用紙を綴じた後に１枚の用紙を取り外すときには、頭部３や押止部１９を腕部６，７や掛止部１７の下から取り外して折れ曲がる用紙角部１０を伸ばしてから１枚の用紙を下に引くことで取り外しができるものである。
【考案の効果】
【００１６】
本考案の用紙角部を綴じるシート片の本体９を形成している素材が紙質類である場合には、従来の金属製クリップの取り外しで材質毎に分別する作業が省け、シュレッダーに掛けることが出来るものとなり、再製紙を使用することも出来るものであるから地球環境に良いものとなる。
【００１７】
本考案の用紙角部を綴じるシート片の本体９は、その構造が簡単で「シンブルイズベスト」であり、取り外しが容易であるからプラスチックシートで本体９を形成したものの廃棄はプラスチック原料へのリサイクルが可能で製造費用も安価であり、シートの打ち抜きによる生産性の優れたものである。
【００１８】
そして、本考案の用紙角部を綴じるシート片の用紙を綴じる強さは用紙角部１０を１８０度折り返して腕部６，７や掛止部１７に掛ける為、その材質の紙質から考えると強いものとなるものであり、用紙角部１０の前からと後からとのどちらからでも変わりない折り込み手段によって綴じることが出来、台形の基盤部１を筒状としたものは左腕部６と右腕部７との折り曲げる手間が省けて作業性が良く、綴じたものから１枚を抜き取るには直接的には出来ないもので安定性が優れているものである。
【考案を実施するための最良の形態】
【００１９】
以下、実施例を図面に基づいて説明する。
【実施例１】
【００２０】
本考案に係わる実施例の一つとしては、図１に示すように、紙質類の腰のあるシートによって、内側に４５度傾斜する側辺を持つ台形を基盤部１として形成し、その上辺から折曲部２を介して上に延長する高さは少なくとも基盤部１の高さの２倍となる高さに設けた正方形の頭部３を接続してその延長する中ほどに折曲部２と平行状態の中間折曲部４を設けものとしていて、この正方形の頭部３は少なくとも基盤部１の高さの２倍となる高さに設けたものであれば三角形や台形等の様々な形状とすることができるものとしている。
【００２１】
そして、基盤部１の両側辺からは傾斜折曲部５を介して基盤部１の上に折り曲げて折り重なる長さとなる高さの左腕部６と右腕部７を接続し、その接続した両腕部６，７と頭部３とが接触する部分を切り離れた状態とした切込部８を設けたものとして用紙角部を綴じるシート片の本体９を形成している。
【００２２】
この本体９を使用するときには、図２に示すように、本体９を綴じようとする用紙角部１０の裏側に当てて基盤部１の両側辺と用紙角部１０とを重ね合わせ、両腕部６，７を用紙の表側に重ね合せる様にして折り曲げ、その後から頭部３を用紙の表側に用紙角部１０と一緒にして重ね合わさる両腕部６，７の上に折り曲げ、重なる両腕部６，７より先に出た頭部３を折り返して重なる両腕部６，７の下に差し込むことで本体９の折り込み手段が完了するもので、この用紙角部１０の裏側でなく表側から折り始めることも出来るものであって、この折り込み手段によって用紙角部１０を綴じるものとしている。
【００２３】
図３に示すものは、綴じようとする用紙の枚数が多くなると、本体９を折込むときにそれぞれの各折曲部に用紙の厚さ分が必要となるものであるから、各折曲部にも対応出来る幅が必要となるものであって、そこに平行状態の折り曲げ線を複数設けた複線折曲部１５として設けたものとしている。
【００２４】
この重ね合わさる両腕部６，７の中央部分に向かい合う切込み１６を設けたものとすれば、その組み込みによってその腕組みが離れ難いものとすることが出来るもので、この切込み１６による組み込みとする固定状態を接着剤や糊等によって固定したり、ステイプラーの針によって固定したりすることも考えられるものである。
【００２５】
実施例の一つの変形として考えられる用紙角部を綴じるシート片としては、図４に示すように、少なくとも一方の右腕部７の外側になる側辺より腕側折曲部１１を介して外側に向けて頭部３の横幅を有していて下部を切り欠いた折込み腕部１２を連接したものが考えられる。
【００２６】
これによって用紙を綴じるときには、図５に示すように、本体９を綴じようとする用紙角部１０の裏側に当てて基盤部１の両側辺と用紙角部１０とを重ね合わせ、用紙角部１０を左腕部６と右腕部７との間に挟むように折り曲げてから折込み腕部１２を両腕部６，７の下に差し込むことで本体９の折込み手段が完了するので頭部３がそのまま残ることになる。
【００２７】
この頭部３は様々な使い道があるもので、ミシン目や折れ線等を設けておくことによって二つ折りにしたり三角形を切り残す形にしたりして自由に変形することが考えられるものとしていて、用紙角部１０の裏側からや表側からでも綴じることが出来るものである。
【実施例２】
【００２８】
他の実施の形態としては、図６に示すように、台形の基盤部１の下辺１３を対象軸として、基盤部１と基盤部１より連接する各部とを基盤部１の下辺１３より下側に対象状態として設けて上下を重ね合せに折り重ねた二重本体１４とするものであって、これらによって用紙を綴じるときには上記の本体９のものと変わりない折り込み手段によって用紙角部１０を綴じることが出来るものである。
【００２９】
この二重本体１４は、各部が二枚重ねとなっていることから基盤部１や両腕部６，７が丈夫なものに成るもので、頭部３の二枚を両腕部６，７の下への差し込みに使用する他に、一枚だけを両腕部６，７の下に差し込むことで綴じることが出来ることから、残りの頭部３の一枚は綴じた用紙の欠けて見える角部分を形成するものであって摘み部分や吊り掛け部分などとして使用することができ、自由に利用することが出来るものとしている。
【実施例３】
【００３０】
その他に考えられる実施例としては、図７に示すように、紙質類で腰のあるシートによって、内側に４５度傾斜する両側辺を持つ台形を基盤部１として形成し、その基盤部１の上に基盤部１と同じ形状の掛止部１７を重ね合せてその両側辺を接続することによって筒形状を形成しているもので、この基盤部１の台形となる上辺から折曲部２を介して上に延長する高さは少なくとも基盤部１の高さの２倍となる高さに設けた正方形の頭部３を接続し、その接続した頭部３の中ほどに折曲部２と平行状態の中間折曲部４を設けて用紙角部１０を綴じる本体９を形成することが考えられるものである。
【００３１】
これを使用するときにはこの筒状となった掛止部１７の下に綴じる用紙の用紙角部１０を差し込んで頭部３と用紙角部１０とを一緒に掛止部１７の上に折り返し、その頭部３の先端を掛止部１７の下に差し込むことで用紙の綴じ込みが出来るものとしていて左腕部６と右腕部７との折り曲げる手間が省けて作業性が良くるものである
【００３２】
また、図８に示すように、掛止部１７の台形となる下辺１３から折曲部２を介して下辺１３を底辺とする二等辺直角三角形を接続して押止部１８を形成したものも考えられるもので、用紙角部１０を掛止部１７の下に差し込んで抜け出た用紙角部１０を掛止部１７の上に折り曲げが終った後に、押止部１８を上に曲げ起こすことによって用紙角部１０の折り曲げた角部分を上から押さえ、その押止部１８の先端を用紙の下側に差し込むことで用紙の綴じ込みが出来るものとしていて、この押止部１８の形状は二等辺直角三角形以外の形状とすることが出来るものである。
【００３３】
更には、図９に示すように、基盤部１と掛止部１７とで筒状となった基盤部１の台形の下辺１３から基盤部１と頭部３とを下向きに接続して下向き二重本体１９を形成することもできるもので、この下向き二重本体１９は上向きに折り返して筒状の中を通し、基盤部１と頭部３との上に重ねて使用するものが考えられるものである。
【００３４】
図１に示す縦と横との比が３対４の四辺形の本体９は、その折り込むときにその折り込む端部分が揃うものであり、製造するときに生産性が良いもので、紙質類等の腰のあるシートをプラスチック類の可撓性を有するシートによって製造することも考えられるものである。
【図面の簡単な説明】
【００３５】
【図１】本考案に係わる実施の形態の一つを示す平面図である。
【図２】本考案に係わる実施例１の使用状態を示す平面図である。
【図３】複数折曲部と切込みとを設けた本体を示す平面図である。
【図４】腕側折曲部を介して設けた折込み腕部を示す平面図である。
【図５】折込み腕部の使用状態を示す平面図である。
【図６】二重本体の折り重ねる前の状態を示す平面図である。
【図７】基盤部と掛止部との両側辺を接続した本体を示す斜視図である。
【図８】掛止部の下辺から三角形の押止部を設けた状態を示す斜視図である。
【図９】基盤部の下辺から下向き二重本体を設けた状態を示す斜視図である。
【符号の説明】
【００３６】
１  基礎部
２  折曲部
３  頭部
４  中間折曲部
５  傾斜折曲部
６  左腕部
７  右腕部
８  切込部
９  本体
１０  用紙角部
１１  腕側折曲部
１２  折込み腕部
１３  下辺
１４  二重本体
１５  複線折曲部
１６  切込み
１７  掛止部
１８  押止部
１９  下向き二重本体
【図１】
0003127609.tif 000003
【図２】
0003127609.tif 000004
【図３】
0003127609.tif 000005
【図４】
0003127609.tif 000006
【図５】
0003127609.tif 000007
【図６】
0003127609.tif 000008
【図７】
0003127609.tif 000009
【図８】
0003127609.tif 000010
【図９】
0003127609.tif 000011